(57)【要約】【課題】誤動作が実行されにくい電子機器及び制御方法を提供する。【解決手段】電子機器１は、押下可能な操作部３Ｂと、操作部３Ｂに接触した指の指紋を検出する指紋センサ１８と、操作部３Ｂが押下されたと判断し、且つ、指紋センサ１８が検出した指紋と予め登録された指紋情報とが適合すると判断した場合に、ロック状態を解除するコントローラ１０とを備える。【選択図】図８
2018148286.tif 000002
【特許請求の範囲】
【請求項１】
押下可能な操作部と、
前記操作部に接触した指の指紋を検出する指紋センサと、
前記操作部が押下されたと判断し、且つ、前記指紋センサが検出した前記指紋と予め登録された指紋情報とが適合すると判断した場合に、ロック状態を解除するコントローラと
を備える電子機器。
【請求項２】
前記コントローラは、前記指紋センサが検出した前記指紋と予め登録された指紋情報とが適合するか否かを判断する処理の実行後、所定時間内に前記操作部が押下されたと判断した場合、前記ロック状態を解除する、請求項１に記載の電子機器。
【請求項３】
ディスプレイをさらに備え、
前記コントローラは、
前記操作部が押下されていないと判断し、且つ、前記指紋センサが検出した前記指紋と予め登録された指紋情報とが適合すると判断した場合に、通知情報を表示する通知画面を前記ディスプレイに表示し、
前記操作部が押下されたと判断し、且つ、前記指紋センサが検出した前記指紋と予め登録された指紋情報とが適合すると判断した場合に、機能を実行可能なホーム画面を前記ディスプレイに表示する、
請求項１又は請求項２に記載の電子機器。
【請求項４】
ディスプレイをさらに備え、
前記コントローラは、
前記操作部に対する押下時間を測定し、
前記押下時間が所定時間未満であると判断し、且つ、前記指紋センサが検出した前記指紋と予め登録された指紋情報とが適合すると判断した場合に、通知情報を表示する通知画面を前記ディスプレイに表示し、
前記押下時間が前記所定時間以上であると判断し、且つ、前記指紋センサが検出した前記指紋と予め登録された指紋情報とが適合すると判断した場合に、機能を実行可能なホーム画面を前記ディスプレイに表示する、
請求項１又は請求項２に記載の電子機器。
【請求項５】
前記コントローラは、前記指紋センサが検出した前記指紋と予め登録された指紋情報とが適合しないと判断した場合、前記ディスプレイに表示を行わない、請求項３又は請求項４に記載の電子機器。
【請求項６】
前記コントローラは、
前記ディスプレイが表示状態である場合に前記操作部への押下を検出すると、前記ディスプレイを非表示状態に遷移させ、
前記非表示状態に遷移させた後、又は、前記非表示状態に遷移させてから前記指紋センサへの接触を検出しなくなった後、所定時間、前記指紋センサが指紋を検出した場合であっても、該検出した指紋に基づく処理を実行しない、請求項３乃至請求項５のいずれか一項に記載の電子機器。
【請求項７】
タッチスクリーンディスプレイをさらに備え、
前記コントローラは、
前記操作部が押下されていないと判断し、且つ、前記指紋センサが検出した前記指紋と予め登録された指紋情報とが適合すると判断した場合に、ロックスクリーンを前記タッチスクリーンディスプレイに表示し、
前記タッチスクリーンディスプレイに対する所定の入力操作を検出すると、前記ロック状態を解除する、
請求項１に記載の電子機器。
【請求項８】
前記コントローラは、前記指紋センサが検出した前記指紋と予め登録された指紋情報とが適合すると判断した場合、適合すると判断したことを示す表示を、前記ディスプレイに表示する、請求項３乃至請求項７のいずれか一項に記載の電子機器。
【請求項９】
ディスプレイと、
押圧力を検出する感圧式タッチパネルと、
前記感圧式タッチパネルに接触した指の指紋を検出する指紋センサと、
コントローラとを備え、
前記コントローラは、
前記感圧式タッチパネルへの押圧力が所定の閾値未満であると判断し、且つ、前記指紋センサが検出した前記指紋と予め登録された指紋情報とが適合すると判断した場合に、通知情報を表示する通知画面を前記ディスプレイに表示し、
前記感圧式タッチパネルへの押圧力が前記所定の閾値以上であると判断し、且つ、前記指紋センサが検出した前記指紋と予め登録された指紋情報とが適合すると判断した場合に、機能を実行可能なホーム画面を前記ディスプレイに表示する、
電子機器。
【請求項１０】
押下可能な操作部と、前記操作部に接触した指の指紋を検出する指紋センサとを備える電子機器における制御方法であって、
前記操作部が押下されたと判断し、且つ、前記指紋センサが検出した前記指紋と予め登録された指紋情報とが適合すると判断した場合に、ロック状態を解除するステップ
を含む、制御方法。
【発明の詳細な説明】
【技術分野】
【０００１】
本発明は、電子機器及び制御方法に関する。
【背景技術】
【０００２】
従来、利用者の指紋を検出する指紋センサを備える電子機器が知られている。例えば、特許文献１には、ボタンと、ボタンに内蔵される指紋センサと、を備える電子機器が開示されている。特許文献１に開示された電子機器は、電子機器に対する操作が制限されていることを示すロック画面を表示した状態で、指紋センサが検出した指紋情報と予め登録された指紋情報とが適合する場合、制限を解除する。
【先行技術文献】
【特許文献】
【０００３】
【特許文献１】国際公開２０１６／１２１８７６号明細書
【発明の概要】
【発明が解決しようとする課題】
【０００４】
特許文献１に記載された電子機器は、例えば利用者がボタンを押下した際に、ボタンに内蔵された指紋センサが指紋を検出すると、指紋情報との照合を行い、照合結果に基づく処理（動作）を実行する場合がある。この場合、利用者がボタンの押下操作に基づく動作を意図しているのであれば、電子機器において、利用者の意図しない動作が実行されることとなる。
【０００５】
本開示は、誤動作が実行されにくい電子機器及び制御方法を提供することを目的とする。
【課題を解決するための手段】
【０００６】
一態様の電子機器は、押下可能な操作部と、指紋センサと、コントローラとを備える。前記指紋センサは、前記操作部に接触した指の指紋を検出する。前記コントローラは、前記操作部が押下されたと判断し、且つ、前記指紋センサが検出した前記指紋と予め登録された指紋情報とが適合すると判断した場合に、ロック状態を解除する。
【０００７】
一態様の電子機器は、ディスプレイと、感圧式タッチパネルと、指紋センサと、コントローラとを備える。前記感圧式タッチパネルは、押圧力を検出する。前記指紋センサは、前記感圧式タッチパネルに接触した指の指紋を検出する。前記コントローラは、前記感圧タッチパネルへの押圧力が所定の閾値未満であると判断し、且つ、前記指紋センサが検出した前記指紋と予め登録された指紋情報とが適合すると判断した場合に、通知情報を表示する通知画面を前記ディスプレイに表示する。前記コントローラは、前記感圧タッチパネルへの押圧力が前記所定の閾値以上であると判断し、且つ、前記指紋センサが検出した前記指紋と予め登録された指紋情報とが適合すると判断した場合に、機能を実行可能なホーム画面を前記ディスプレイに表示する。
【０００８】
一態様の制御方法は、押下可能な操作部と、前記操作部に接触した指の指紋を検出する指紋センサとを備える電子機器における制御方法である。前記制御方法は、前記操作部が押下されたと判断し、且つ、前記指紋センサが検出した前記指紋と予め登録された指紋情報とが適合すると判断した場合に、ロック状態を解除するステップを含む。
【発明の効果】
【０００９】
本開示に係る電子機器及び制御方法によれば、誤動作を防止しやすくなる。
【図面の簡単な説明】
【００１０】
【図１】第１実施形態に係るスマートフォンの斜視図である。
【図２】図１のスマートフォンの正面図である。
【図３】図１のスマートフォンの背面図である。
【図４】図１のスマートフォンの概略構成の一例を示す機能ブロック図である。
【図５】ディスプレイに表示される通知画面の一例を示す図である。
【図６】ディスプレイに表示されるホーム画面の一例を示す図である。
【図７】ディスプレイに表示される画面の遷移の一例を示す図である。
【図８】ディスプレイに表示される画面の遷移の一例を示す図である。
【図９】コントローラが実行する処理の一例を示すフローチャートである。
【図１０】ディスプレイに表示される画面の遷移の一例を示す図である。
【図１１】ディスプレイに表示される認証が成功したことを示す表示の一例を示す図である。
【図１２】コントローラが実行する処理の一例を示すフローチャートである。
【図１３】コントローラが実行する処理の一例を示すフローチャートである。
【図１４】第３実施形態に係るスマートフォンの正面図である。
【図１５】コントローラが実行する処理の一例を示すフローチャートである。
【発明を実施するための形態】
【００１１】
本出願に係る電子機器及び制御方法を実施するための実施形態を、図面を参照しつつ詳細に説明する。以下では、電子機器の例として、スマートフォンについて説明する。
【００１２】
（第１実施形態）
図１から図３を参照しながら、第１実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、操作部３Ａ〜３Ｃと、照度センサ４と、近接センサ５と、レシーバ７と、マイク８と、カメラ１２と、指紋センサ１８をフロントフェイス１Ａに有する。スマートフォン１は、スピーカ１１と、カメラ１３とをバックフェイス１Ｂに有する。スマートフォン１は、操作部３Ｄ〜３Ｆと、コネクタ１４とをサイドフェイス１Ｃに有する。以下では、操作部３Ａ〜３Ｆを、どの操作部であるかを特定することなく、操作部３と総称することがある。
【００１４】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１５】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１８】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１９】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２０】
指紋センサ１８は、指先における指紋の凹凸を画像として読み取る（検出する）。本実施形態において、指紋センサ１８は、操作部３Ｂに内蔵されている。従って、本実施形態において、指紋センサ１８は、操作部３Ｂに接触した指の指紋を検出する。指紋センサ１８は、読み取った画像を指紋情報として出力する。例えば、指紋センサ１８は、半導体式センサである場合、指紋の凹凸によって変化する複数の電極の電荷を検出し、電荷の量を変換して画像とする。なお、指紋センサ１８は、半導体式センサに限定されず、光学式センサ、超音波式センサを用いてもよい。本実施形態では、指紋センサ１８は、操作部３Ｂに内蔵される場合について説明するが、これに限定されない。例えば、指紋センサ１８は、利用者が片手で持った状態で、その手の親指が操作可能な範囲のハウジング２０のフロントフェイス１Ａ、サイドフェイス１Ｃ３、１Ｃ４等に単独で設けられてもよい。指紋センサ１８は、例えば間欠的に動作してよい。指紋センサ１８は、例えば操作部３が押下されたことによりディスプレイ２Ａが点灯した場合等、所定の条件が満たされる場合に、起動されて動作してもよい。
【００２１】
操作部３は、利用者によって操作される操作ボタンである。操作部３は、利用者によって押下可能に、ハウジング２０に配置される。操作部３は、操作部３Ａ〜操作部３Ｆを有する。コントローラ１０は操作部３と協働することによって操作部３に対する操作を検出する。操作部３に対する操作は、例えば、クリック、ダブルクリック、トリプルクリック、及びプッシュを含むが、これらに限定されない。
【００２２】
操作部３Ａ〜３Ｃは、例えば、ホームボタン、バックボタン又はメニューボタンである。操作部３Ｄは、例えば、スマートフォン１のパワーオン／オフボタンである。利用者は、操作部３Ｄを操作（押下）することにより、ディスプレイ２Ａへの表示のオン／オフを切り替えることができる。操作部３Ｄは、スリープ／スリープ解除ボタンを兼ねてもよい。操作部３Ｅ及び３Ｆは、例えば、音量ボタンである。
【００２３】
照度センサ４は、スマートフォン１の周囲光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００２４】
レシーバ７及びスピーカ１１は、音出力部である。レシーバ７及びスピーカ１１は、後述する、スマートフォン１のコントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００２５】
カメラ１２は、フロントフェイス１Ａに面している物体を撮影するインカメラである。カメラ１３は、バックフェイス１Ｂに面している物体を撮影するアウトカメラである。
【００２６】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００２７】
図４は、スマートフォン１の概略構成の一例を示す機能ブロック図である。スマートフォン１は、タッチスクリーンディスプレイ２と、操作部３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、指紋センサ１８とを有する。
【００２８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２９】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３０】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００３１】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３２】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３３】
ストレージ９は、例えば、制御プログラム９Ａ、加速度データ９Ｗ、指紋データ９Ｘ、及び設定データ９Ｚを記憶する。加速度データ９Ｗは、スマートフォン１に作用する加速度に関する情報を含む。指紋データ９Ｘは、スマートフォン１を所有する利用者が登録した指紋に関する情報を含む。設定データ９Ｚは、スマートフォン１の動作に関する各種の設定に関する情報を含む。
【００３４】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、他のプログラムが提供する機能と組み合わせて利用されることがある。
【００３５】
制御プログラム９Ａは、タッチスクリーンディスプレイ２、操作部３等に対する操作の少なくとも一部の受付けを制限する機能を提供する。本明細書において、操作の少なくとも一部の受付けを制限する機能を、「ロック機能」ともいう。操作の少なくとも一部の受付けが制限された状態を「ロック状態」、ロック状態が解除され、操作の受付が制限されていない状態を「アンロック状態」という。ロック状態が解除されてアンロック状態になると、タッチスクリーンディスプレイ２、操作部３等に対する操作が可能な状態となることにより、スマートフォン１の機能が利用可能となる。
【００３６】
制御プログラム９Ａは、スマートフォン１に対して入力された所定の操作等に基づいて、ロック状態を解除する機能を実現させる。ロック状態を解除するための所定の操作及び具体的な処理の詳細等については、後述する。
【００３７】
制御プログラム９Ａは、利用者の認証を行う認証機能を提供する。認証機能は、例えば、利用者の指紋による認証、暗証番号の入力による認証等を含む。
【００３８】
指紋による認証は、指紋センサ１８が読み取った指紋情報と予め登録された指紋情報とが所定の範囲で適合する場合に、利用者が登録された本人であると認証する。所定の範囲で適合するとは、例えば、読み取った指紋画像と、予め登録された親指の指紋画像との画像処理によって一致性を評価し、所定の評価以上であれば、適合すると判断することを意味している。画像処理は、例えば、指紋の特徴点を抽出して比較する処理を含む。本明細書において、以下、指紋センサ１８が読み取った指紋情報と予め登録された指紋情報とが所定の範囲で適合すると判断されることを、「認証が成功する」とも表現する。また、本明細書において、以下、指紋センサ１８が読み取った指紋情報と予め登録された指紋情報とが所定の範囲で適合しないと判断されることを、「認証が失敗する」とも表現する。
【００３９】
暗証番号の入力による認証は、入力された暗証番号が予め登録された暗証番号と一致する場合に、利用者が登録された本人であると認証する。
【００４０】
制御プログラム９Ａは、利用を制限した状態で、指紋センサ１８が指紋情報を出力すると、当該指紋情報に基づいて利用者の認証を行う機能を提供する。例えば、制御プログラム９Ａは、指紋センサ１８によって読み取った指紋情報が予め登録された指紋情報と所定の範囲で適合する場合、スマートフォン１を操作する利用者が登録された利用者であると判断し、判断結果に応じて所定の制御を行う。制御プログラム９Ａが判断結果に応じて行う制御の詳細については、後述する。
【００４１】
加速度データ９Ｗには、加速度センサ１５の検出結果として送信されてくる複数の加速度情報が時系列的に記憶される。加速度情報は、時間と、加速度の値といった項目を含む。時間は、加速度センサ１５によって加速度を検出した時間を示す。加速度の値は、加速度センサ１５によって検出した加速度の値を示す。
【００４２】
指紋データ９Ｘは、利用者によって予め登録された指紋の画像を示す指紋情報を含む。複数の指の指紋が登録されている場合、指紋データ９Ｘは、複数の指ごとの指紋情報を含む。例えば、親指及び人差し指の指紋が登録されている場合、指紋データ９Ｘは、親指及び人差し指に対応した２つの指紋情報を含む。指紋データ９Ｘは、指紋情報と指及び手の種類を示す情報とが紐付けられている。例えば、右手の親指の指紋が登録されている場合、指紋データ９Ｘの指紋情報は、右手及び親指を示す情報が紐付けられる。
【００４３】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、複数の演算処理装置を含んでもよい。コントローラ１０は、スマートフォン１の動作を統括的に制御して各種の機能を実現する。
【００４４】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、操作部３、照度センサ４、近接センサ５、マイク８、カメラ１２、カメラ１３、加速度センサ１５、方位センサ１６、ジャイロスコープ１７、及び指紋センサ１８を含むが、これらに限定されない。
【００４５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４６】
加速度センサ１５は、スマートフォン１に作用する加速度の方向及び大きさ、スマートフォン１の傾きの角度、重力加速度の大きさ及び方向を検出する。方位センサ１６は、地磁気の向きを検出する。ジャイロスコープ１７は、スマートフォン１の角度及び角速度を検出する。加速度センサ１５、方位センサ１６、及びジャイロスコープ１７の検出結果は、スマートフォン１の位置、姿勢、及び状態の変化を検出するために、組み合わせて利用される。
【００４７】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４８】
図１乃至図４に示したスマートフォン１の構成は例であり、本開示の要旨を損なわない範囲において適宜変更してよい。例えば、操作部３の数と種類は図１乃至図４の例に限定されない。スマートフォン１は、画面に関する操作のためのボタンとして、操作部３Ａ〜３Ｃに代えて、テンキー配列又はＱＷＥＲＴＹ配列等のボタンを備えていてもよい。スマートフォン１は、画面に関する操作のために、操作部を１つだけ備えてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために４種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４９】
次に、ディスプレイ２Ａに表示される画面の一例について説明する。ディスプレイ２Ａは、例えば利用者の操作に基づくコントローラ１０の制御により、通知画面と、ホーム画面との２種類の画面を表示できる。
【００５０】
図５は、通知画面の一例を示す図である。通知画面３０は、通知情報を閲覧可能な画面である。図５に示すように、通知画面３０は、例えば、通知情報として時刻を表示する。通知画面３０の一部（図５では上端側）には、領域４０が設けられている。領域４０には、通知情報として、スマートフォン１のバッテリの残量を示す残量マーク４１、及び通信ユニット６における通信用の電波の電界強度を示す電波レベルマーク４２が表示される。通知情報は、例えば、着信があったことを示す情報、未確認のメッセージ（未読のメール等）の有無、件数及び／又は件名に関する情報、ニュースの見出し、アプリケーションのアップデートに関する情報等を含んでもよい。利用者は、例えば通知情報を確認したい場合、ディスプレイ２Ａに通知画面３０を表示させる操作を行う。ディスプレイ２Ａに表示された通知画面３０により、利用者は通知情報を見ることができる。
【００５１】
図６は、ホーム画面の一例を示す図である。ホーム画面３１は、スマートフォン１における各種機能を実行可能な状態で表示される画面である。図６に示すように、ホーム画面３１は、スマートフォン１にインストールされているアプリケーションのうち、どのアプリケーションを実行するかを利用者に選択させる画面である。図６に示すように、ホーム画面３１には、スマートフォン１で実行可能なアプリケーションを示すアイコンが表示される。ホーム画面の一部には、通知画面３０と同様に領域４０が設けられている。領域４０には、残量マーク４１及び電波レベルマーク４２が表示される。利用者は、例えばスマートフォン１にインストールされたアプリケーションを利用したい場合に、ディスプレイ２Ａにホーム画面３１を表示させる操作を行うことにより、ホーム画面３１に表示された各種アプリケーションを利用するための操作を行うことができる。
【００５２】
スマートフォン１は、複数のホーム画面を有していてよい。スマートフォン１は、例えば、ホーム画面の数を利用者による設定に従って決定する。スマートフォン１は、ホーム画面を複数有する場合、例えば選択された１つをディスプレイ２Ａに表示する。
【００５３】
図５の通知画面３０及び図６のホーム画面３１は、一例であり、各種の要素の形態、各種の要素の配置等は上記の説明したものに限られない。
【００５４】
コントローラ１０は、利用者によるスマートフォン１の操作、及び指紋の照合結果等に応じて、通知画面３０又はホーム画面３１を表示する。
【００５５】
従来公知のスマートフォンにおいては、例えばディスプレイに画面が表示されていない消灯された状態（以下、「非表示状態」ともいう）において、操作部が押下されると、ディスプレイに通知画面が表示される。通知画面が表示された状態は、スマートフォンがロックされた状態にある。従来公知のスマートフォンにおいて、例えば、ディスプレイに通知画面が表示された状態で、指紋による認証が成功した場合、ディスプレイにホーム画面が表示される。ホーム画面が表示された状態は、ロックが解除された状態である。すなわち、従来公知のスマートフォンにおいて、利用者は、通知画面を表示させたい場合、操作部を押下する操作を行い、ホーム画面を表示させたい場合、操作部を押下した上で指紋による認証を実行させる操作（指紋センサに指紋を検出させる操作）を行う。
【００５６】
しかしながら、例えば、操作部に指紋センサが配置されている場合、利用者が通知画面を表示させることを意図して操作部を押下する操作を行っても、指紋センサが指紋を検出し、認証が成功したとコントローラが判断して、ディスプレイにホーム画面が表示される場合がある。この場合、利用者が意図した操作は、通知画面を表示させる操作であることから、ホーム画面を表示する動作は、利用者が意図しない動作であり、すなわち誤動作である。また、この場合、利用者は、ホーム画面を表示されることを意図していないため、ロックを解除することも意図されていない。しかしながら、認証が成功したと判断されることにより、利用者が意図しないロック解除が行われる。これは、情報セキュリティの観点から好ましくない。
【００５７】
本実施形態に係るスマートフォン１は、かかる誤動作を防止しやすい制御を実行する。スマートフォン１のコントローラ１０が実行する制御について、ディスプレイ２Ａに表示される画面とあわせて、以下説明する。本実施形態において、指紋センサ１８は、間欠的に動作しているとする。
【００５８】
本実施形態において、コントローラ１０は、操作部３Ｂが押下されたと判断し、且つ、指紋センサ１８が検出した指紋と予めストレージ９に指紋データ９Ｘとして登録された指紋情報とが適合すると判断した場合、ロック状態を解除する。この場合、コントローラ１０は、ホーム画面３１を表示する。
【００５９】
図７は、ディスプレイ２Ａに表示される画面の遷移の一例を示す図であり、非表示状態からの遷移の一例を示す図である。ステップＳ１１に示すように、ディスプレイ２Ａが非表示状態である場合において、利用者が指で操作部３Ｂを押下する操作を行ったとする。この場合、コントローラ１０は、操作部３Ｂが押下されたことを検出する。また、コントローラ１０は、指紋センサ１８において、操作部３Ｂを押下する指の指紋を検出する。コントローラ１０は、指紋センサ１８が検出した指紋と予め指紋データ９Ｘとして登録された指紋情報とを照合する。コントローラ１０は、指紋センサ１８が検出した指紋と予め指紋データ９Ｘとして登録された指紋情報とが適合すると判断した場合、つまり認証が成功した場合、ロック状態を解除する。このとき、コントローラ１０は、ステップＳ１２に示すように、ホーム画面３１をディスプレイ２Ａに表示する。
【００６０】
コントローラ１０は、操作部３Ｂの押下の検出に代えて、所定の操作が行われたことを検出し、且つ、認証が成功したと判断した場合にロック状態を解除してもよい。所定の操作は、コントローラ１０が検出可能な任意の操作であってよい。例えば、所定の操作は、タッチスクリーンディスプレイ２におけるジェスチャ操作であってもよい。ジェスチャ操作は、例えば、タッチ操作、スワイプ操作、タップ操作、ダブルタップ操作、フリック操作等を含んでよい。例えば、指紋センサ１８が静電容量方式の場合には、所定の操作は、指紋センサ１８上における、指のフリック操作等であってもよい。
【００６１】
例えば、所定の操作は、スマートフォン１の向きを変化させる操作であってもよい。この場合、所定の操作は、例えば、ディスプレイ２Ａの長辺が鉛直方向となっているスマートフォン１を、所定の角度（例えば４５度又は９０度等）回転させて、ディスプレイ２Ａの短辺が鉛直方向となるように向きを変化させる操作を含む。この操作は、例えば、加速度センサ１５、方位センサ１６又はジャイロスコープ１７等により検出され得る。ここで挙げた操作の例は、所定の操作の一例であり、所定の操作は、上述の例に限られない。
【００６２】
本実施形態において、コントローラ１０は、操作部３Ｂが押下されていないと判断し、且つ、指紋センサ１８が検出した指紋と予めストレージ９に指紋データ９Ｘとして登録された指紋情報とが適合すると判断した場合、通知画面３０を表示する。
【００６３】
図８は、ディスプレイ２Ａに表示される画面の遷移の一例を示す図であり、非表示状態からの遷移の一例を示す図である。ステップＳ２１に示すように、ディスプレイ２Ａが非表示状態である場合において、利用者が、操作部３Ｂを押下することなく、指を操作部３Ｂに載置したとする。この場合、操作部３Ｂへの押下は検出されない。また、コントローラ１０は、指紋センサ１８において、操作部３Ｂを押下する指の指紋を検出する。コントローラ１０は、指紋センサ１８が検出した指紋と予め指紋データ９Ｘとして登録された指紋情報とを照合する。コントローラ１０は、指紋センサ１８が検出した指紋と予め指紋データ９Ｘとして登録された指紋情報とが適合すると判断した場合、つまり認証が成功した場合、ステップＳ２２に示すように、通知画面３０をディスプレイ２Ａに表示する。コントローラ１０は、このように認証が成功した場合、内部処理として、スマートフォン１のロック状態を解除してもよい。
【００６４】
このようにして通知画面３０がディスプレイ２Ａに表示された場合、コントローラ１０は、予め定められた所定の操作入力が利用者により行われると、ステップＳ２３に示すようにホーム画面３１をディスプレイ２Ａに表示する。上述したように、通知画面３０が表示されたときに、内部処理としてロック状態が解除されているため、コントローラ１０は、所定の操作入力が行われた場合に、指紋の認証を行うことなく、ディスプレイ２Ａに表示される画面を、通知画面３０からホーム画面３１に遷移させることができる。すなわち、スマートフォン１では、通知画面３０が表示されたときに、スマートフォン１を操作する利用者が、予め登録された指紋を有する利用者であることが確認できている。そのため、再度指紋の認証を行わずに、ホーム画面３１を表示させたとしても、例えばスマートフォン１の所有者がスマートフォン１を操作していることを確認できる。本実施形態に係るスマートフォン１は、このように通知画面３０からホーム画面３１への移行に際して、指紋の照合をおこなうという内部処理を実行しないため、例えば通知画面からホーム画面への移行の際に指紋の照合を行う従来のスマートフォンに対して、ホーム画面３１への移行速度が速い。指紋センサ１８は、指紋の認証が成功した後、所定の時間が経過するまでは指紋を検出する動作を停止してもよい。また、コントローラ１０は、指紋の認証が成功した後、所定の時間が経過するまでは、当該指紋の認証が成功している状態を維持し、指紋を認証する動作を停止してもよい。
【００６５】
コントローラ１０は、指紋の認証が成功して通知画面３０をディスプレイ２Ａに表示させた後、所定の時間内に、上記所定の操作が行われた場合に、ステップＳ２３に示すようにホーム画面３１をディスプレイ２Ａに表示してもよい。この場合、コントローラ１０は、所定の時間を経過してから所定の操作が行われても、ホーム画面３１を表示しない。例えば、指紋の認証が成功してから一定時間内であれば、認証が成功した利用者がスマートフォン１を使用することが想定されるが、一定時間経過後は、当該利用者がスマートフォン１の使用を終了している場合がある。この場合に当該利用者以外の第三者がスマートフォン１に対して上記所定の操作を行うことにより、ディスプレイ２Ａにホーム画面３１を表示させると、第三者がスマートフォン１のアプリケーションを使用したり、ストレージ９に記憶された情報を閲覧できたりする。コントローラ１０は、所定の時間内に所定の操作が行われた場合にのみ、ホーム画面３１をディスプレイ２Ａに表示することにより、このような第三者による使用を防止しやすくなる。
【００６６】
ホーム画面３１をディスプレイ２Ａに表示させるために利用者が行う所定の操作は、上述した、操作部３の押下操作、タッチスクリーンディスプレイ２におけるジェスチャ操作、指紋センサ１８上における指のフリック操作、及び、スマートフォン１の向きを変化させる操作を含んでよい。
【００６７】
コントローラ１０は、所定の操作に代えて、例えばマイク８において所定の音声入力を検出した場合に、ホーム画面３１をディスプレイ２Ａに表示させてもよい。例えば、利用者が「ホーム画面」等の言葉を発したとする。利用者が発した言葉はマイク８により検出される。コントローラ１０は、マイク８が発した言葉を音声解析し、所定の言葉（ここでは、「ホーム画面」という言葉）が発せられたと認識した場合に、ホーム画面３１をディスプレイ２Ａに表示させてもよい。
【００６８】
本実施形態において、コントローラ１０は、指紋センサ１８において指紋を検出し、指紋センサ１８が検出した指紋と予めストレージ９に指紋データ９Ｘとして登録された指紋情報とが適合しないと判断した場合、すなわち認証が失敗した場合、画面を非表示状態に維持してもよい。指紋センサ１８が検出した指紋とストレージ９に指紋データ９Ｘとして登録された指紋情報とが適合しない場合、スマートフォン１の所有者でない第三者がスマートフォン１を操作しようとしていることが想定される。そのため、コントローラ１０は、認証が失敗した場合に、画面の非表示状態を維持することにより、第三者に情報が閲覧されることを防止することができる。
【００６９】
上記説明したコントローラ１０が実行する処理の一例について、図９のフローチャートを参照しながら説明する。図９のフローの開始時点において、ディスプレイ２Ａに表示される画面は、非表示状態であるとする。
【００７０】
コントローラ１０は、指紋センサ１８において、指紋センサ１８に接触する指の指紋を検出する（ステップＳ１０１）。
【００７１】
コントローラ１０は、ステップＳ１０１で検出した指紋を用いて、認証を行う（ステップＳ１０２）。具体的には、コントローラ１０は、ステップＳ１０１で検出した指紋と予めストレージ９に指紋データ９Ｘとして登録された指紋情報とを比較（照合）する。
【００７２】
コントローラ１０は、認証が成功したか否かを判断する（ステップＳ１０３）。コントローラ１０は、例えば、ステップＳ１０１で検出した指紋と予めストレージ９に指紋データ９Ｘとして登録された指紋情報とが適合する場合、認証が成功したと判断できる。コントローラ１０は、例えば、ステップＳ１０１で検出した指紋と予めストレージ９に指紋データ９Ｘとして登録された指紋情報とが適合しない場合、認証が失敗したと判断できる。
【００７３】
コントローラ１０は、認証が失敗したと判断した場合（ステップＳ１０３のＮｏ）、スマートフォンを第三者が操作しようとしている可能性があるため、ディスプレイ２Ａの非表示状態を維持する（ステップＳ１０４）。そして、コントローラ１０は、このフローを終了する。
【００７４】
コントローラ１０は、認証が成功したと判断した場合（ステップＳ１０３のＹｅｓ）、スマートフォン１のロック状態を解除する（ステップＳ１０５）。
【００７５】
コントローラ１０は、スマートフォン１に対して所定の操作が行われたか否かを判断する（ステップＳ１０６）。例えば、コントローラ１０は、所定の操作として、操作部３Ｂの押下が行われたか否かを判断する。
【００７６】
コントローラ１０は、所定の操作が行われたと判断した場合（ステップＳ１０６のＹｅｓ）、ディスプレイ２Ａにホーム画面３１を表示する（ステップＳ１０７）。そして、コントローラ１０は、このフローを終了する。
【００７７】
コントローラ１０は、所定の操作が行われていないと判断した場合（ステップＳ１０６のＮｏ）、ディスプレイ２Ａに通知画面３０を表示する（ステップＳ１０８）。
【００７８】
コントローラ１０は、ディスプレイ２Ａに通知画面３０を表示させた後、所定の時間内に所定の操作が行われたか否かを判断する（ステップＳ１０９）。例えば、コントローラ１０は、所定の操作として、操作部３Ｂの押下が行われたか否かを判断する。
【００７９】
コントローラ１０は、所定の時間内に所定の操作が行われていないと判断した場合（ステップＳ１０９のＮｏ）、ディスプレイ２Ａの画面を遷移させることなく、このフローを終了する。このとき、コントローラ１０は、ステップＳ１０８においてディスプレイ２Ａに通知画面３０を表示した後、所定の時間が経過している場合には、ディスプレイ２Ａを消灯させて非表示状態にし、このフローを終了してもよい。
【００８０】
コントローラ１０は、所定の時間内に所定の操作が行われたと判断した場合（ステップＳ１０９のＹｅｓ）、ディスプレイ２Ａの表示をホーム画面３１に遷移させる（ステップＳ１０７）。そして、コントローラ１０は、このフローを終了する。
【００８１】
このように、本実施形態に係るスマートフォン１は、操作部３Ｂが押下されたと判断し、且つ、認証が成功した場合に、ロックを解除してホーム画面を表示させる。また、スマートフォン１は、操作部３Ｂが押下されていないと判断し、且つ、認証が成功した場合に、通知画面３０を表示させる。そのため、スマートフォン１によれば、利用者が通知画面３０を表示させることを意図して操作を行った場合に、ホーム画面３１が表示されにくい。従って、本実施形態に係るスマートフォン１によれば、誤動作を防止しやすくなる。
【００８２】
上記実施形態では、コントローラ１０は、操作部３が押下されていないと判断し、且つ、認証が成功したと判断した場合、通知画面３０をディスプレイ２Ａに表示させると説明したが、通知画面３０ではない他の画面をディスプレイ２Ａに表示させてもよい。例えば、コントローラ１０は、図１０のステップＳ３１に示すように、ディスプレイ２Ａが非表示状態であるとき、操作部３が押下されていないと判断し、且つ、認証が成功したと判断した場合、ステップＳ３２に示すように、ロックスクリーン５０をディスプレイ２Ａに表示させてもよい。ロックスクリーン５０は、例えば、ロックを解除する操作を入力させるための画面である。この場合、コントローラ１０は、指紋の認証が成功しても、ロック状態を解除する内部処理を実行していなくてもよい。
【００８３】
ロックスクリーン５０には、ロックを解除する操作を入力してホーム画面に遷移させることを促す通知５１が、例えば文字等で表示される。例えばタッチスクリーンディスプレイ２に対するタッチ操作によりホーム画面に遷移される場合には、「画面をタッチしてロックを解除」等の通知がディスプレイ２Ａに表示されてよい。例えばタッチスクリーンディスプレイ２におけるスライド操作によりホーム画面に遷移される場合に、「スライドしてロックを解除」等の通知がディスプレイ２Ａに表示されてよい。
【００８４】
コントローラ１０は、ロックを解除する所定の操作が入力されたことを検出すると、スマートフォン１のロック状態を解除し、図１０のステップＳ３３に示すように、ホーム画面３１をディスプレイ２Ａに表示する。コントローラ１０は、ロックスクリーン５０をディスプレイ２Ａに表示させたときに、指紋の認証により、スマートフォン１の操作者が予め登録された指紋を有する利用者であることを既に確認できている。そのため、コントローラ１０は、適正な利用者がスマートフォン１を操作していることを確認できているため、ロックを解除する所定の操作が入力された際に、再度認証を行ったり、パスワードを入力させたりすることなく、ホーム画面３１を表示しても、セキュリティ上の問題は発生しない。
【００８５】
また、利用者にとっては、所定の操作を入力することにより、認証を行うための別途の操作又はパスワードの入力等を行うことなく、安全にホーム画面３１を表示させることができる。そのため、ロックスクリーン５０を表示するスマートフォン１によれば、利用者への操作入力の負担を減少させることができる。
【００８６】
また、ロックスクリーン５０を表示するスマートフォン１によれば、利用者がロックを解除する所定の操作を入力した場合に、ホーム画面３１が表示される。そのため、ロックスクリーン５０を表示するスマートフォン１によれば、例えば指紋認証により自動的に認証を行ってホーム画面３１が表示される場合と比較して、利用者に対し、自ら操作を行ってホーム画面３１を表示させたという、操作上の安心感を与えることができる。
【００８７】
なお、コントローラ１０は、例えばロックスクリーン５０を表示する際に、ロック解除の内部処理を完了していてもよい。この場合、利用者がロックスクリーン５０に対して所定の操作を入力した場合、コントローラ１０は、ディスプレイ２Ａの表示をロックスクリーン５０からホーム画面３１に遷移させる処理を実行する。この場合も、上述のように、利用者に対する操作上の安心感を与えることができる。
【００８８】
上記実施形態において、コントローラ１０は、指紋センサ１８が検出した指紋と、予め登録された指紋情報とが適合すると判断した場合、すなわち認証が成功したと判断した場合、認証が成功したことを示す表示を、ディスプレイ２Ａに表示する。認証が成功したことを示す表示は、例えば、図１１に示すように、「認証完了」等の文字で示されてもよい。認証が成功したことを示す表示は、例えば、所定の記号により示されてもよい。認証が成功したことを示す表示は、例えば、ディスプレイに表示された画面の色彩等により表示されてもよい。
【００８９】
認証が成功したことは、必ずしも画面上の表示により、利用者に通知されなくてもよい。認証が成功したことは、例えば、音声又は振動などにより、利用者に通知されてもよい。
【００９０】
スマートフォン１のコントローラ１０は、例えば、ディスプレイ２Ａが点灯した状態、つまりディスプレイ２Ａに表示を行っている状態（以下、「表示状態」ともいう）において、操作部３Ｄが押下されてスマートフォン１の電源がオフされた場合、又は、スマートフォン１が予め設定された時間にわたって操作されない場合等に、ディスプレイ２Ａを非表示状態に遷移させてよい。このようにしてディスプレイ２Ａが表示状態から非表示状態に遷移した場合、コントローラ１０は、アンロック状態のスマートフォン１をロック状態に切り換える。スマートフォン１がロック状態になると、コントローラ１０は、指紋センサ１８を間欠的に動作させ、指紋センサ１８において指紋を検出した場合、図９で説明したフローにより処理を行う。
【００９１】
ここで、仮に、利用者が表示状態のスマートフォン１の操作部３Ｂを押下して非表示状態にし、指紋センサ１８が間欠的に動作を行っている状態で、操作部３Ｂを押下した利用者の指が、押下した後も操作部３Ｂに接触された状態で操作部３Ｂ上に残っている場合、指紋センサ１８が指紋を検出する可能性がある。指紋センサ１８が指紋を検出すると、図９で説明したフローが実行され、例えば通知画面３０がディスプレイ２Ａに表示される。しかしながら、この場合に操作部３Ｂに接触している指は、ディスプレイ２Ａを表示状態にすることを意図して載置されたものではなく、非表示状態にすることを意図した指が、操作部３Ｂ上に残ったものである。そのため、この場合にコントローラ１０がディスプレイ２Ａを表示状態にすることは、利用者が意図しない誤動作である。
【００９２】
そこで、本実施形態に係るコントローラ１０は、ディスプレイ２Ａを非表示状態に遷移させた後、所定時間、指紋センサ１８が指紋を検出した場合であっても、検出した指紋に基づく処理、すなわち図９で説明した、指紋の照合し、照合結果に応じてディスプレイを表示状態にする処理を実行しない。所定時間は、操作部３Ｂを押下した指が、押下した後も操作部３Ｂに接触された状態であることを判断可能な、所定の長さの時間であってよい。
【００９３】
図１２は、コントローラ１０がディスプレイ２Ａを非表示状態にした場合に実行する処理の一例を示すフローチャートである。図１２のフローの開始時点において、ディスプレイ２Ａは表示状態であるとする。
【００９４】
利用者が操作部３を押下すると、コントローラ１０は、操作部３の押下を検出する（ステップＳ２０１）。
【００９５】
コントローラ１０は、ディスプレイ２Ａを非表示状態にする（ステップＳ２０２）。
【００９６】
利用者が指紋センサ１８に指を載置すると、コントローラ１０は、指紋センサ１８において利用者の指紋を検出する（ステップＳ２０３）。
【００９７】
コントローラ１０は、ステップＳ２０２でディスプレイ２Ａを非表示状態にした後、ステップＳ２０３で指紋を検出するまでの間に、所定時間が経過したが否かを判断する（ステップＳ２０４）。
【００９８】
コントローラ１０は、ディスプレイ２Ａを非表示状態にした後、指紋を検出するまで、所定時間が経過していないと判断した場合（ステップＳ２０４のＮｏ）、指紋の照合し、照合結果に応じてディスプレイを表示状態にする処理を実行しない。すなわち、コントローラ１０は、ディスプレイ２Ａの非表示状態を維持する（ステップＳ２０５）。
【００９９】
コントローラ１０は、ディスプレイ２Ａを非表示状態にした後、指紋を検出するまで、所定時間が経過したと判断した場合（ステップＳ２０４のＹｅｓ）、図９のステップＳ１０２と同じ要領で指紋を認証する（ステップＳ２０６）。
【０１００】
コントローラ１０は、指紋の認証結果に基づく処理を実行する（ステップＳ２０７）。具体的には、コントローラ１０は、図９のステップＳ１０３からステップＳ１０９で説明した処理を実行する。
【０１０１】
このように、スマートフォン１は、ディスプレイ２Ａを非表示状態に遷移させた後、所定時間は、指紋を検出した場合であっても、検出した指紋に基づく処理を実行しない。そのため、利用者がディスプレイ２Ａを非表示状態にする操作を行った後、意図せず指が指紋センサ１８に接触し続けていたり、意図せず指が指紋センサ１８に接触したりする場合であっても、ディスプレイ２Ａは、表示状態にならない。これにより、スマートフォン１によれば、誤動作を防止しやすくなる。
【０１０２】
ディスプレイ２Ａを非表示状態にした後の誤動作を防止するための処理は、上述の例に限られない。
【０１０３】
例えば、上述の例では、コントローラ１０は、ステップＳ２０４において、ディスプレイ２Ａを非表示状態に遷移させた後、指紋を検出するまで、所定時間が経過したか否かを判断すると説明した。しかしながら、コントローラ１０は、例えばディスプレイ２Ａを非表示にし、利用者の指が操作部３から離れてから、すなわち指紋センサ１８への接触を検出しなくなってから、所定時間が経過したか否かを判断してもよい。この場合、コントローラ１０は、非表示状態に遷移させてから指紋センサ１８への接触を検出しなくなった後、所定時間は、検出した指紋に基づく処理を実行しない。
【０１０４】
例えば、上述の例では、コントローラ１０は、ディスプレイ２Ａを非表示状態にした後、指紋を検出するまで、所定時間が経過していないと判断した場合（ステップＳ２０４のＮｏ）、検出した指紋に基づく処理を実行しないと説明した。しかしながら、コントローラ１０は、例えば、ディスプレイ２Ａを非表示状態にした後、所定時間が経過するまで、指紋センサ１８の動作を停止させてもよい。この場合、ディスプレイ２Ａが非表示状態になってから所定時間は、利用者の指が指紋センサ１８に接触しても、指紋センサ１８は指紋を検出せず、これにより、上述のように誤動作を防止しやすくなる。この場合、コントローラ１０は、所定時間経過後、指紋センサ１８を再び動作させる。
【０１０５】
例えば、上述の例では、コントローラ１０は、ディスプレイ２Ａを非表示状態にした後、指紋を検出するまで、所定時間が経過していないと判断した場合（ステップＳ２０４のＮｏ）、検出した指紋に基づく処理を実行しないと説明した。しかしながら、コントローラ１０は、例えば、指紋センサ１８が検出した指紋と、指紋情報との照合の処理までを実行していてもよく、この場合、照合結果に基づく処理を実行しなくてもよい。コントローラ１０が照合結果に基づく処理を実行しなければ、ディスプレイ２Ａが表示状態に遷移されないため、上述のように、誤動作を防止しやすくなる。
【０１０６】
（第２実施形態）
スマートフォン１のコントローラ１０により実行される処理は、第１実施形態で示したものに限られない。第２実施形態では、コントローラ１０が実行する他の処理の一例について説明する。第２実施形態においても、スマートフォン１の構成は、第１実施形態と同じであるため、ここでは構成の説明については省略し、実行される処理について説明する。
【０１０７】
本実施形態において、コントローラ１０は、操作部３Ｂが押下される時間の長さ（以下、「押下時間」ともいう）を測定する。コントローラ１０は、押下時間に応じて、通知画面３０又はホーム画面３１をディスプレイ２Ａに表示させる。
【０１０８】
コントローラ１０は、例えば、押下時間が所定の時間以上であると判断し、且つ、認証が成功したと判断した場合に、図７のステップＳ１２に示すように、ホーム画面３１をディスプレイ２Ａに表示させる。所定の時間は、予め定められていてよく、例えば、いわゆる「長押し」と判断される時間の長さであってよい。
【０１０９】
コントローラ１０は、例えば、押下時間が所定の時間未満であると判断し、且つ、認証が成功したと判断した場合に、図８のステップＳ２２に示すように、通知画面３０をディスプレイ２Ａに表示させる。
【０１１０】
押下時間の長さにかかわらず、コントローラ１０は、認証が成功したと判断した場合、内部処理としてロック状態を解除してよい。
【０１１１】
コントローラ１０は、押下時間の長さにかかわらず、認証が失敗したと判断した場合、ディスプレイ２Ａを非表示状態に維持してよい。
【０１１２】
第２実施形態において、コントローラ１０が実行する処理の一例について、図１３のフローチャートを参照しながら説明する。図１３のフローの開始時点において、ディスプレイ２Ａに表示される画面は、非表示状態であるとする。
【０１１３】
図１３のフローチャートにおいて、ステップＳ３０１からステップＳ３０５は、それぞれ図９のフローチャートのステップＳ１０１からステップＳ１０５と同じである。すなわち、コントローラ１０は、指紋の認証を行い、認証が失敗した場合（ステップＳ３０３のＮｏ）、ディスプレイ２Ａの非表示状態を維持し（ステップＳ３０４）、認証が成功した場合（ステップＳ３０３のＹｅｓ）、スマートフォン１のロック状態を解除する（ステップＳ３０５）。
【０１１４】
コントローラ１０は、操作部３Ｂへの押下を検出したか否かを判断する（ステップＳ３０６）。
【０１１５】
コントローラ１０は、操作部３Ｂへの押下を検出していないと判断した場合（ステップＳ３０６のＮｏ）、ディスプレイ２Ａの非表示状態を維持する（ステップＳ３０４）。
【０１１６】
コントローラ１０は、操作部３Ｂへの押下を検出したと判断した場合（ステップＳ３０６のＹｅｓ）、操作部３Ｂに対する押下時間が予め定められた所定の時間以上であるか否かを判断する（ステップＳ３０７）。
【０１１７】
コントローラ１０は、操作部３Ｂに対する押下時間が所定の時間以上であると判断した場合（ステップＳ３０７のＹｅｓ）、ディスプレイ２Ａにホーム画面３１を表示する（ステップＳ３０８）。そして、コントローラ１０は、このフローを終了する。
【０１１８】
コントローラ１０は、操作部３Ｂに対する押下時間が所定の時間未満であると判断した場合（ステップＳ３０７のＮｏ）、ディスプレイ２Ａに通知画面３０を表示する（ステップＳ３０９）。
【０１１９】
コントローラ１０は、ディスプレイ２Ａに通知画面３０を表示させた後、所定の時間内に所定の操作が行われたか否かを判断する（ステップＳ３１０）。ステップＳ３１０における処理は、図９のステップＳ１０９における処理と同様であるため、詳細な説明を省略する。
【０１２０】
このように、第２実施形態に係るスマートフォン１は、指紋の認証に加えて、操作部３Ｂの押下時間に応じて、ディスプレイ２Ａに通知画面３０又はホーム画面３１のいずれかを表示させる。すなわち、本実施形態に係るスマートフォン１において、通知画面３０又はホーム画面３１のいずれが表示されるかは、利用者が区別して操作しやすい押下時間の長さに応じて定まる。また、スマートフォン１は、指紋の認証が成功した場合に、通知画面３０又はホーム画面３１のいずれかを表示させる。そのため、本実施形態に係るスマートフォン１によっても、セキュリティを確保しつつ、誤動作を防止しやすくなる。
【０１２１】
（第３実施形態）
図１４は、第３実施形態に係るスマートフォン１０１の正面図である。第３実施形態に係るスマートフォン１０１は、フロントフェイス１Ａ側に、第１実施形態に係るスマートフォン１のタッチスクリーン２Ｂに代えて、感圧式タッチパネル２Ｃを備える。感圧式タッチパネル２Ｃは、押圧（圧力の変化）を検出可能なタッチパネルである。感圧式タッチパネル２Ｃは、ディスプレイ２Ａに重ねて配置されている。正面視における感圧式タッチパネル２Ｃの一部に、指紋センサ１８が内蔵される。指紋センサ１８が内蔵される位置に利用者が指を載置した場合、スマートフォン１０１は、感圧式タッチパネル２Ｃにより押圧を検出できるとともに、指紋センサ１８により指紋を検出できる。第３実施形態に係るスマートフォン１０１は、例えば図１４に示すように、操作部３Ａ〜３Ｃを備えない。他の構成については、第１実施形態に係るスマートフォン１と同様であるため、ここでは詳細な説明を省略する。第３実施形態に係るスマートフォンの構成要素において、第１実施形態に係るスマートフォン１と同様のものについては、第１実施形態で用いたものと同一の符号を用いて説明する。
【０１２２】
本実施形態に係るスマートフォン１０１は、例えば感圧式タッチパネル２Ｃで検出した押圧力と、指紋センサ１８で検出した指紋とに基づいて、処理を実行する。例えば、スマートフォン１０１のコントローラ１０は、感圧式タッチパネル２Ｃへの押圧力が所定の閾値未満であると判断し、且つ、指紋センサ１８が検出した指紋に基づく認証が成功したと判断した場合、通知画面３０をディスプレイ２Ａに表示する。スマートフォン１０１のコントローラ１０は、感圧式タッチパネル２Ｃへの押圧力が所定の閾値以上であると判断し、且つ、指紋センサ１８が検出した指紋に基づく認証が失敗したと判断した場合、ホーム画面３１をディスプレイ２Ａに表示する。ここで、所定の閾値は、感圧式タッチパネル２Ｃに対する利用者の指の接触が、押圧を意図するものであるか接触を意図するものであるかを判断可能な圧力値であってよい。
【０１２３】
第３実施形態において、コントローラ１０が実行する処理の一例について、図１５のフローチャートを参照しながら説明する。図１５のフローの開始時点において、ディスプレイ２Ａに表示される画面は、非表示状態であるとする。
【０１２４】
図１５のフローチャートにおいて、ステップＳ４０１からステップＳ４０５は、それぞれ図９のフローチャートのステップＳ１０１からステップＳ１０５と同じである。すなわち、コントローラ１０は、指紋の認証を行い、認証が失敗した場合（ステップＳ４０３のＮｏ）、ディスプレイ２Ａの非表示状態を維持し（ステップＳ４０４）、認証が成功した場合（ステップＳ４０３のＹｅｓ）、スマートフォン１のロック状態を解除する（ステップＳ４０５）。
【０１２５】
コントローラ１０は、感圧式タッチパネル２Ｃへの押圧力を検出する（ステップＳ４０６）。
【０１２６】
コントローラ１０は、ステップＳ４０６で検出した押圧力が、所定の閾値以上であるか否かを判断する（ステップＳ４０７）。
【０１２７】
コントローラ１０は、ステップＳ４０６で検出した押圧力が、所定の閾値以上であると判断した場合（ステップＳ４０７のＹｅｓ）、ホーム画面３１をディスプレイ２Ａに表示する（ステップＳ４０８）。
【０１２８】
コントローラ１０は、ステップＳ４０６で検出した押圧力が、所定の閾値未満であると判断した場合（ステップＳ４０７のＮｏ）、通知画面３０をディスプレイ２Ａに表示する（ステップＳ４０９）。
【０１２９】
コントローラ１０は、ディスプレイ２Ａに通知画面３０を表示させた後、所定の時間内に所定の操作が行われたか否かを判断する（ステップＳ４１０）。ステップＳ４１０における処理は、図９のステップＳ１０９における処理と同様であるため、詳細な説明を省略する。
【０１３０】
このように、第３実施形態に係るスマートフォン１０１は、指紋の認証に加えて、感圧式タッチパネル２Ｃに対する押圧力に応じて、ディスプレイ２Ａに通知画面３０又はホーム画面３１のいずれかを表示させる。すなわち、本実施形態に係るスマートフォン１において、通知画面３０又はホーム画面３１のいずれが表示されるかは、利用者が区別して操作しやすい押圧力に応じて定まる。また、スマートフォン１０１は、指紋の認証が成功した場合に、通知画面３０又はホーム画面３１のいずれかを表示させる。そのため、本実施形態に係るスマートフォン１０１によっても、セキュリティを確保しつつ、誤動作を防止しやすくなる。
【０１３１】
上記の実施形態では、電子機器の例として、スマートフォンについて説明したが、添付の請求項に係る電子機器は、スマートフォンに限定されない。添付の請求項に係る電子機器は、スマートフォン以外の電子機器であってもよい。電子機器は、例えば、モバイルフォン、タブレット、携帯型パソコン、デジタルカメラ、メディアプレイヤ、電子書籍リーダ、ナビゲータ、及びゲーム機を含むが、これに限定されない。
【０１３２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【０１３３】
例えば、上記実施形態において、指紋の認証が失敗した場合に、コントローラ１０がディスプレイ２Ａの非表示状態を維持する例について説明したが、指紋の認証が失敗した場合の処理は、これに限られない。コントローラ１０は、指紋の認証が失敗した場合、例えば、一部の情報を非表示の状態で、ディスプレイ２Ａを点灯させてもよい。例えば、コントローラ１０は、指紋の認証が失敗した場合、通知情報の一部を非表示にした状態で、通知画面３０をディスプレイ２Ａに表示させてもよい。この場合、通知画面３０には、例えば、時刻、残量マーク４１及び電波レベルマーク４２が表示され、他の通知情報は表示されない。これにより、スマートフォンの操作者が登録されていない第三者である可能性がある場合に、スマートフォンの所有者に関する情報の漏えいを防止しやすくなる。
【０１３４】
また、例えば、コントローラ１０は、上述した実施形態で説明した情報以外の他の情報に基づいて、ディスプレイ２Ａの表示を制御してもよい。例えば、コントローラ１０は、近接センサ５で検出される情報に基づいて、ディスプレイ２Ａの表示を制御してもよい。例えば、コントローラ１０は、近接センサ５で検出された情報に基づいて、近接センサ５の前面に物体が存在すると判断した場合、ディスプレイ２Ａの非表示状態を維持してもよい。これにより、例えば、スマートフォンがポケット等に入った状態で、ディスプレイ２Ａが表示状態になることを防止しやすくなる。
【符号の説明】
【０１３５】
１、１０１  スマートフォン
１Ａ  フロントフェイス
１Ｂ  バックフェイス
１Ｃ、１Ｃ１  サイドフェイス
２  タッチスクリーンディスプレイ
２Ａ  ディスプレイ
２Ｂ  タッチスクリーン
２Ｃ  感圧式タッチパネル
３、３Ａ、３Ｂ、３Ｃ、３Ｄ、３Ｅ、３Ｆ  操作部
４  照度センサ
５  近接センサ
６  通信ユニット
７  レシーバ
８  マイク
９  ストレージ
９Ａ  制御プログラム
９Ｗ  加速度データ
９Ｘ  指紋データ
９Ｚ  設定データ
１０  コントローラ
１１  スピーカ
１２、１３  カメラ
１４  コネクタ
１５  加速度センサ
１６  方位センサ
１７  ジャイロスコープ
１８  指紋センサ
２０  ハウジング
３０  通知画面
３１  ホーム画面
４０  領域
４１  残量マーク
４２  電波レベルマーク
４３  アイコン
５０  ロックスクリーン
５１  通知
【図１】
2018148286.tif 000003
【図２】
2018148286.tif 000004
【図３】
2018148286.tif 000005
【図４】
2018148286.tif 000006
【図５】
2018148286.tif 000007
【図６】
2018148286.tif 000008
【図７】
2018148286.tif 000009
【図８】
2018148286.tif 000010
【図９】
2018148286.tif 000011
【図１０】
2018148286.tif 000012
【図１１】
2018148286.tif 000013
【図１２】
2018148286.tif 000014
【図１３】
2018148286.tif 000015
【図１４】
2018148286.tif 000016
【図１５】
2018148286.tif 000017